(57)【要約】【課題】ＩＣタグインレットを複雑な加工なく容易に密封し、かつリーダ・ライタ装置等により精度よく読み書きができ、さらに目的の場所に容易に確実に埋め込みができる埋め込み用標識体を提供する。【解決手段】内側に上部を閉じたＩＣタグインレットの収納空間１５と、該収納空間に連続するその下方に底栓１７の装入空間１６を、それぞれ構成し、下部外周に放射方向に拡大した抜け止め大径部１２１を備えた、埋設孔より大径の円筒型の埋め込み用標識体本体１２と、ＩＣタグインレットの収納空間１５に収納する、基準点を識別する識別符号を保持したＩＣタグインレット１３と、底栓の装入空間１６にその下方から密に装入する底栓１７と、で構成し、埋め込み用標識体本体１２は、磁力線を透過し、かつ耐候性と可撓性のある非金属性の材料で形成し、底栓１７は、ゴム材を含む弾力性のある非金属部材で、底栓の装入空間１６の径より大径である埋め込み用標識体を提供する。【選択図】図１
2015143892.tif 000002
【特許請求の範囲】
【請求項１】
標石又は地表の基準点等を含む位置を表示したい場所に形成された埋設孔に埋設する埋め込み用標識体であって、
内側に上部を閉じたＩＣタグインレットの収納空間と、該収納空間に連続するその下方に底栓の装入空間を、それぞれ構成し、下部外周に放射方向に拡大した抜け止め大径部を備えた、前記埋設孔より大径の円筒型の埋め込み用標識体本体と、
前記ＩＣタグインレットの収納空間に収納する、基準点を識別する識別符号を保持し、かつ非接触で外部のリーダ・ライタ装置と該識別符号を含むデータの通信が可能なＩＣタグインレットと、
前記底栓の装入空間にその下方から密に装入する底栓と、
で構成し、
前記埋め込み用標識体本体は、磁力線を透過し、かつ耐候性と可撓性のある非金属性の材料で形成し、
かつ前記底栓は、ゴム材を含む弾力性のある非金属部材で、前記底栓の装入空間の径よりも径を大きく形成したこと
を特徴とする埋め込み用標識体。
【請求項２】
請求項１に記載の埋め込み用標識体において、前記抜け止め大径部を圧縮してこれを前記埋設孔に埋設する際に、前記ＩＣタグインレットの収納空間がその圧縮の影響を受けないように、前記抜け止め大径部が前記ＩＣタグインレットの収納空間より下方に構成されていることを特徴とする埋め込み用標識体。
【請求項３】
請求項１又は２に記載の埋め込み用標識体において、前記埋め込み用標識体本体の、ＩＣタグインレットの収納空間の上側の閉じた部位の上面に表示板装入用凹部を形成し、該表示板装入用凹部に、磁力線を透過し、かつ耐候性のある非金属性の剛性材料で形成された位置情報表示用の表示板を配設したことを特徴とする埋め込み用標識体。
【請求項４】
請求項１から３のいずれか１項に記載の埋め込み用標識体において、前記底栓の材料は、前記埋め込み用標識体本体の材料よりも熱膨張係数が小さいことを特徴とする埋め込み用標識体。
【請求項５】
請求項１から４のいずれか１項に記載の埋め込み用標識体において、前記埋め込み用標識体は、さらに前記ＩＣタグインレットの変形を防止する変形防止板を前記ＩＣタグインレットの収納空間内に備え、該変形防止板は前記ＩＣタグインレット以上の大きさを有し、前記ＩＣタグインレットの片面又は両面に前記変形防止板が配置されていることを特徴とする。
【請求項６】
請求項１から５のいずれか１項に記載の埋め込み用標識体において、前記埋め込み用標識体本体はオレフィン系熱可塑性エラストマーで形成されることを特徴とする埋め込み用標識体。
【請求項７】
請求項３から６のいずれか１項に記載の埋め込み用標識体において、前記表示板はアクリル系樹脂で形成されることを特徴とする埋め込み用標識体。
【発明の詳細な説明】
【技術分野】
【０００１】
本発明は、地図作成や各種測量の基準となる三角点、水準点、電子基準点等の基準点を始め風雨に曝される電柱、橋脚、モニュメント等の非金属性の構造物に埋設するＩＣタグインレットを収納した埋め込み用標識体に関する。
【背景技術】
【０００２】
現在、既存の国家基準点に微小な無線のＩＣタグを密封したいわゆるインテリジェント基準点が使用されている。インテリジェント基準点のＩＣタグにリーダ・ライタ装置をかざすことにより、その基準点の位置情報などの情報データを読み書きすることができ、測量や調査等の作業の効率化に役立っている。
【０００３】
国家基準点の測量用標識体には、標石の場合と金属標の場合がある。標石の場合は、標石の側面又は上面にＩＣタグを埋め込み、ＩＣタグにリーダ・ライタ装置をかざすことにより、その情報データを読み書きすることができる。一方、金属標の場合には、金属標に直接ＩＣタグを貼ると、リーダ・ライタ装置をかざしても、その情報データを精度よく読み書きすることは困難である。その理由は、ＩＣタグにリーダ・ライタ装置をかざしても、ＩＣタグからの放射電磁波がＩＣタグ周辺の金属からの反射波によって打ち消され得るからである。
【０００４】
特許文献１には、金属鋲本体に嵌合孔を穿設すると共に、嵌合孔から周側面に亘って切欠溝を形成し、その嵌合孔に外装材で被覆したＩＣチップ装着体（ＩＣチップとアンテナを一体化したもの、以下、ＩＣタグインレット）を保持した金属鋲が開示されている。
【０００５】
また、特許文献２には、金属鋲の本体表面に設けられた凹部に情報記憶素子（ＩＣタグインレット）を設置した金属鋲が開示されている。特許文献１と２に開示されている金属鋲によると、電磁波の出力を低下させることなく、一定に保持することができ、リーダ・ライタ装置をかざして情報データを読み取ることができるとされている。
【先行技術文献】
【特許文献】
【０００６】
【特許文献１】特開２００７−２４１３３３号公報
【特許文献２】特開２００７−３５００号公報
【発明の概要】
【発明が解決しようとする課題】
【０００７】
しかし、特許文献１と２に記載の金属鋲のＩＣタグインレットは金属鋲と比較して小さく、放射電磁波の出力は弱く通信距離が短い。そのため、リーダ・ライタ装置を金属鋲のＩＣチップ装着体に近接させてデータを読み取る必要がある。また、ＩＣタグインレット近傍の金属鋲表面にリーダ・ライタ装置をかざすと、ＩＣタグインレットからの放射電磁波がその近傍の金属からの反射波によって打ち消されるため、精度よく読み取るためには正確にＩＣタグインレットにリーダ・ライタ装置を向けなければならない。さらに、ＩＣタグインレットが金属鋲から抜け落ちず、密封されるような複雑な加工も必要である。
【０００８】
本発明の目的は、上記課題に鑑み、ＩＣタグインレットを複雑な加工なく容易に密封し、かつリーダ・ライタ装置等により、金属の影響をできるだけ受けずに精度よく読み書きができ、さらに目的の場所に容易に確実に埋め込みができる埋め込み用標識体を提供することである。
【課題を解決するための手段】
【０００９】
本発明の１は、標石又は地表の基準点等を含む位置を表示したい場所に形成された埋設孔に埋設する埋め込み用標識体であって、
内側に上部を閉じたＩＣタグインレットの収納空間と、該収納空間に連続するその下方に底栓の装入空間を、それぞれ構成し、下部外周に放射方向に拡大した抜け止め大径部を備えた、前記埋設孔より大径の円筒型の埋め込み用標識体本体と、
前記ＩＣタグインレットの収納空間に収納する、基準点を識別する識別符号を保持し、かつ非接触で外部のリーダ・ライタ装置と該識別符号を含むデータの通信が可能なＩＣタグインレットと、
前記底栓の装入空間にその下方から密に装入する底栓と、
で構成し、
前記埋め込み用標識体本体は、磁力線を透過し、かつ耐候性と可撓性のある非金属性の材料で形成し、
かつ前記底栓は、ゴム材を含む弾力性のある非金属部材で、前記底栓の装入空間の径よりも径を大きく形成したこと
を特徴とする埋め込み用標識体である。
【００１０】
本発明の２は、本発明の１の埋め込み用標識体において、前記抜け止め大径部を圧縮してこれを前記埋設孔に埋設する際に、前記ＩＣタグインレットの収納空間がその圧縮の影響を受けないように、前記抜け止め大径部が前記ＩＣタグインレットの収納空間より下方に構成されていることを特徴とする。
【００１１】
本発明の３は、本発明の１又は２の埋め込み用標識体において、前記埋め込み用標識体本体の、ＩＣタグインレットの収納空間の上側の閉じた部位の上面に表示板装入用凹部を形成し、該表示板装入用凹部に、磁力線を透過し、かつ耐候性のある非金属性の剛性材料で形成された位置情報表示用の表示板を配設したことを特徴とする。
【００１２】
本発明の４は、本発明の１から３のいずれかの埋め込み用標識体において、前記底栓の材料は、前記埋め込み用標識体本体の材料よりも熱膨張係数が小さいことを特徴とする。
【００１３】
本発明の５は、本発明の１から４のいずれかの埋め込み用標識体において、前記埋め込み用標識体は、さらに前記ＩＣタグインレットの変形を防止する変形防止板を前記ＩＣタグインレットの収納空間内に備え、該変形防止板は前記ＩＣタグインレット以上の大きさを有し、前記ＩＣタグインレットの片面又は両面に前記変形防止板が配置されていることを特徴とする。
【００１４】
本発明の６は、本発明の１から５のいずれかの埋め込み用標識体において、前記埋め込み用標識体本体はオレフィン系熱可塑性エラストマーで形成されることを特徴とする。
【００１５】
本発明の７は、本発明の３から６のいずれかの埋め込み用標識体において、前記表示板はアクリル系樹脂で形成されることを特徴とする。
【発明の効果】
【００１６】
本発明の１の埋め込み用標識体によれば、埋め込み用標識体本体が埋設孔より大径の抜け止め大径部を備え、かつ、底栓が弾力性のある部材またはゴム材で形成されているため、埋設孔に押し込むだけで本体が変形して埋設孔の大径部に密に接し、接着剤なしに固定することができる。それにより、雨水等が埋設孔と測量用鋲との間にしみこむのを防止できる。また、底栓が底栓の装入空間の径よりも径を大きく形成されているため、底栓を圧縮して装入空間に押し込むだけで密に接し、接着剤なしに固定することができる。それにより、雨水等がＩＣタグインレットの収納空間にしみこむのを防止でき、ＩＣタグインレットを複雑な加工なく容易に密封できる。また、埋め込み用標識体本体が耐候性のある材料で形成されているため、屋外で長期間にわたって使用された場合においても、熱や雨水、衝撃などにより変形、変色、劣化等の変質を起こしにくい。また、埋め込み用標識体本体が可撓性のある材料で形成されているため、埋設孔より大径の抜け止め大径部を圧縮させて埋設孔の大径部に埋設することができる。さらに、埋め込み用標識体本体が磁力線を透過し、非金属性の材料で形成されているため、リーダ・ライタ装置がＩＣタグインレットを精度よく読み取ることができる。また、埋め込み用標識体本体に金属鋲に装入されている従来の場合と比較して、十分大きなアンテナコイルを持ったＩＣタグインレットを挿入することもできるので、通信距離を長く取ることができる。
【００１７】
本発明の２の埋め込み用標識体によれば、抜け止め大径部がＩＣタグインレットの収納空間より下方に構成されているため、埋め込み用標識体を埋設孔に埋設する際に、埋め込み用標識体の圧縮に伴ってＩＣタグインレットが変形するのを防止することができる。特にアンテナコイルが変形して通信機能が損なわれるのを防止する。
【００１８】
本発明の３の埋め込み用標識体によれば、上側の閉じた部位の上面に表示板装入用凹部に位置情報表示用の表示板を配設することができるので、基準点の固有の番号や点の名称、等級などを表示板に表示させることができる。それにより、基準点の表示が見えにくい場合においても、埋め込み用標識体の表示板を見ることで基準点の番号や点の名称、等級などがわかる。また、表示板が耐候性のある剛性材料で形成されているため、屋外で長期間にわたって使用された場合においても、熱や雨水、衝撃などにより変形、変色、劣化等の変質を起こしにくく、特に足で踏まれた場合にも変形しづらい。また、表示板が磁力線を透過する非金属で形成されていることにより、リーダ・ライタ装置がＩＣタグインレットを精度よく読み取ることができる。
【００１９】
本発明の４の埋め込み用標識体によれば、底栓の材料は、埋め込み用標識体本体の材料よりも熱膨張係数が小さいため、夏季の温度上昇により本体が熱膨張すると、標石などの被埋設体に膨張を妨げられて本体が底栓に密着し、冬季の温度低下により本体が収縮すると、収縮の少ない底栓が本体に密着するため、底栓が本体に常に密に接し、接着剤なしに気密性を保って固定することができる。それにより、夏季、冬季を問わずＩＣタグインレットの収納空間に雨水等がしみこむのを防止できる。
【００２０】
本発明の５の埋め込み用標識体によれば、ＩＣタグインレットの変形を防止する変形防止板をＩＣタグインレットの片面又は両面に配置しているため、ＩＣタグインレットの変形を防止する効果が更に高くなる。
【００２１】
本発明の６の埋め込み用標識体によれば、オレフィン系熱可塑性エラストマーを本体に使用することにより、耐候性と可撓性を有し、かつ非金属性であるため、リーダ・ライタ装置がＩＣタグインレットを精度よく読み取ることができる。
【００２２】
本発明の７の埋め込み用標識体によれば、アクリル系樹脂を表示板に使用することで耐候性と剛性を有し、かつ非金属性であるため、ＩＣタグインレットの変形と通信電波の干渉とを回避できるので、リーダ・ライタ装置がＩＣタグインレットを精度よく読み取ることができる。
【図面の簡単な説明】
【００２３】
【図１】本発明の一実施例の埋め込み用標識体の断面図（Ａ）（Ｂ）と、平面図（Ｃ）（Ｄ）である。
【図２】本発明の一実施例の埋設孔（Ａ）と埋め込み用標識体の埋設の仕方（Ｂ）の説明図である。
【図３】本発明の一実施例のＩＣタグインレットの平面の模式図である。
【図４】本発明の一実施例のＩＣタグインレットの両面に変形防止板が貼り付けられた埋め込み用標識体の断面図である。
【図５】本発明の一実施例の埋め込み用標識体を埋設させる標石（Ａ）と金属鋲付近（Ｂ）の断面図を示す説明図である。
【図６】コンクリート等に埋設させた埋め込み用標識体の断面の模式図である。
【図７】金属鋲の平面図である。
【発明を実施するための形態】
【００２４】
以下、本発明の実施の形態（以下実施例と記す）を、図面に基づいて説明する。なお、以下の図において、共通する部分には同一の符号を付しており、同一符号の部分に対して重複した説明を省略する。
【００２５】
本発明の実施例である埋め込み用標識体の概要を図１（Ａ）〜（Ｄ）と図２（Ａ）、（Ｂ）に基づいて説明する。図１（Ａ）、（Ｂ）は、本発明の実施例である埋め込み用標識体の断面図であり、図１（Ｃ）、（Ｄ）は、それぞれ図１（Ａ）、（Ｂ）の平面図である。つまり、図１（Ａ）、（Ｂ）は、図１（Ｃ）、（Ｄ）のＢ−Ｂ線切断部の断面図である。また、図１（Ａ）は、ＩＣタグインレットの収納空間１５の上側の閉じた部位が本体１２と同じ材料で閉じて構成された埋め込み用標識体１０であり、図１（Ｂ）は、ＩＣタグインレットの収納空間１５の上側の閉じた部位の上面に表示板装入用凹部１８を形成し、この表示板装入用凹部１８に表示板１１を配設した埋め込み用標識体１０である。
【００２６】
図１（Ａ）、（Ｂ）に示すように埋め込み用標識体１０は、埋め込み用標識体本体１２（以下、本体１２）と、その内側に収納されるＩＣタグインレット１３と、底栓１７からなる。また、本体１２は、内側に上部を閉じたＩＣタグインレット１３の収納空間１５と、該収納空間１５に連続するその下方に底栓１７の装入空間１６を構成している。図１（Ｂ）の埋め込み用標識体１０は、さらにＩＣタグインレットの収納空間１５の上側の閉じた部位の上面に表示板装入用凹部１８を形成し、そこに表示板１１を配設している。
【００２７】
埋め込み用標識体１０は、図１（Ａ）、（Ｂ）の矢印Ａの方向に、標石又は地表の基準点に形成された埋設孔に埋設させるため、本体１２の形状は埋設孔に埋め込んだ後に抜けないように、抜け止め部１２１を有することが必要である。図１（Ａ）〜（Ｄ）に示すように本実施例では、本体１２の形状は、下部外周に放射方向に拡大した抜け止め大径部１２１を備えており、埋設孔の口径よりも大きな径（Ｒ）を持つ円筒型となっている。その形状により、本体１２を図２（Ａ）、（Ｂ）に示すように埋設孔２１に密に接し、かつ抜けないように嵌め込むことができる。抜け止め大径部１２１の形状は、埋設孔２１に埋設し易くするために、最下部に丸み付けた（テーパーを付けた）形状であってもよい（図示せず）。
【００２８】
また、本体１２はＩＣタグインレット１３を収納するため、外部の影響がＩＣタグインレット１３に及ばないように、ある程度の厚み（Δｒ）を持つ円筒型である。図１と図２に示すように、本体１２の形状と大きさは、内径（ｒ）と外径（ｒ＋Δｒ）、抜け止め大径部の外径Ｒ、高さｈと抜け止め大径部の高さｈ１で定められる。
【００２９】
本体１２は、磁力線を透過し、かつ耐候性と可撓性のある非金属性の材料で形成されていることが必要である。屋外で長期間使用されたときに、熱や雨水等により劣化や変形しづらい耐候性を有する材料で形成されることが必要である。図１（Ａ）の本体１０の上面には成型時に文字、点字、刻印などを形成し表示することができる。また、本体１２が磁力線を透過し、非金属性の材料で形成されることにより、ＩＣタグインレット１３とリーダ・ライタ装置とのデータの通信が可能となる。
【００３０】
図２（Ａ）は、埋め込み用標識体１０を埋設する埋設孔２１を示す図である。埋設孔２１の形状は、埋め込み用標識体１０と同様に、埋設孔２１の口径よりも大きな大径部２１１を最下部に有している。図２（Ｂ）は埋め込み用標識体１０を埋設孔２１に埋設する仕方を示す説明図である。埋設孔２１は標石等の被埋設体２１３に配設されている。埋め込み用標識体１０は、その抜け止め大径部１２１を圧縮した上でＡ方向に動かして埋設孔２１に押し込むことにより、埋設することができる。埋め込み用標識体１０の本体１２が可撓性のある材料で形成されることにより、本体１２の抜け止め大径部１２１が埋設孔の口径よりも大きな径Ｒを持っているにもかかわらず、圧縮して埋設孔に嵌め込み、埋設孔の大径部２１１に密に接するように埋設することができる。本実施例の本体１２は、上記の要件を満たすオレフィン系熱可塑性エラストマー（商品名ミラストマーなど）で形成されるが、これに限定されない。
【００３１】
本体１２の底栓１７の装入空間１６に下方から密に装入する底栓１７は、ゴム材を含む弾力性のある非金属部材で形成されることが必要である。底栓１７がシリコーンゴムなど弾力性があり可撓性に富む材料で形成されることにより、本体１２の抜け止め大径部１２１を埋設孔２１の大径部２１１に嵌め込む際に、抜け止め大径部１２１の圧縮の影響を受けて底栓１７も圧縮されるため、その圧縮の反発力により、本体１２を埋設孔２１の大径部２１１に密に接するように埋設することができる。それにより、接着剤を使用しなくても、本体１２を埋設孔に密に接するように嵌め込み、固定することができる。また、本体１２と埋設孔の間に雨水などが流れ込まないように水密性を確保することができる。
【００３２】
また、底栓１７の形状は、抜け止め大径部１２１を有する本体１２の円筒型の形状に合うように、下部に大径部を有する円筒型になっている。底栓１７の円筒の径と大径部の径は、装入空間１６の径（ｒ、ｒ＋Δｒ）よりも大きく形成することが必要である。底栓１７の径を装入空間１６の径よりも大きくすることにより、底栓１７を装入空間１６に装入する際には、圧縮させて装入させる必要がある。その圧縮の反発力により、底栓１７を本体１２に密に接するように装入することができる。それにより、上記と同様に接着剤を使用しなくても、底栓１７を本体１２に密着させることができ、ＩＣタグインレット１３の収納空間１５に雨水などが流れ込まないようにすることができる。
【００３３】
つまり、本体１２が弾力性があり可撓性に富む材料で形成され、かつ底栓１７がゴム材を含む弾力性があり一層可撓性に富む材料で形成され、かつ、埋設孔よりも本体１２の径が大きいことにより、接着剤を使用しなくても、本体１２を埋設孔に密着させて固定することができる。また、底栓１７の径が本体１２の径よりも大きいことにより、底栓１７を本体１２に密着させることができる。
【００３４】
特に、本体１２を構成する材料の熱膨張係数が、底栓１７の材料と、埋設孔を構成する石材やコンクリート等の材料の熱膨張係数よりも大きいときには、より密着させる効果が高い。夏季の温度上昇により、本体１２が熱膨張すると、本体１２が埋設孔２１に密着し、底栓１７に押し付けられて密着し、冬季の温度低下により本体１２が収縮すると、底栓１７が本体１２に密着するからである。そのため、本実施例では、本体１２を構成する材料の熱膨張係数が、底栓１７の材料の熱膨張係数より大きく、埋設孔を構成する材料の熱膨張係数と等しいかそれよりも大きい材料を使用する。
【００３５】
本体１２のＩＣタグインレット１３の収納空間１５は、本体１２の抜け止め大径部１２１を圧縮して埋設孔に埋設する際に、その圧縮の影響を受けないように、抜け止め大径部１２より上方に一定の距離だけ離間して構成されている。
【００３６】
その収納空間１５に収納されるＩＣタグインレット１３は、基準点を識別する識別符号を保持しており、非接触で外部のリーダ・ライタ装置と識別符号を含むデータの通信が可能である。外部のリーダ・ライタ装置でＩＣタグインレット１３の識別符号が読み取られると、その基準点の固有の番号（基準点番号）や点の名称、等級、経度緯度、座標値等がリーダ・ライタ装置に表示される。また、埋め込み用標識体１０にリーダ・ライタ装置をかざすことにより、それらの情報データを必要に応じて書き変えることもできる。
【００３７】
図３は、本実施例で使用するＩＣタグインレット１３の模式図であり、図１に示すＩＣタグインレット１３の平面図である。本実施例で使用するＩＣタグインレット１３は、電池が不要のパッシブタイプのＩＣタグインレット１３であり、動作周波数は１３．５６ＭＨｚである。
【００３８】
図３に示すように、ＩＣタグインレット１３は絶縁被覆銅線を巻回して構成したアンテナコイル１３１とＩＣチップ１３２をアンテナコイルの端子部１３３とＩＣチップの接続端子（表示せず）とで接続して一体化して構成されている。このようにアンテナコイル１３１とＩＣチップ１３２が一体化したＩＣタグインレット１３を使用することにより、本体１２の収納空間１５にＩＣタグインレット１３をコンパクトに収納することができ、また、アンテナコイル１３１の変形が妨げられかつアンテナコイル１３１とＩＣチップ１３２の相対位置が変化しないため、インダクタンスを安定に保つことができる。
【００３９】
このアンテナコイル１３１は、特定の巻き数や大きさに限定されるものではないが、所要のインダクタンスを確保できるように構成される。精度よく測定できるようにするため、アンテナコイル１３１の軸心が図１に示すように、埋め込み用標識体１０を装入する方向Ａと平行になるようにＩＣタグインレット１３を本体１２に設置する。
【００４０】
ＩＣチップ１３２は、アンテナコイル１３１を介して外部のリーダ・ライタ装置との間
で電力の授受及び情報の交換を行うための基本的な公知の要素である。通常、平面から見て正方形又は長方形である。その各辺の長さは、１ｍｍ以下であることが多い。図３に示すＩＣタグインレット１３はアンテナコイル１３１の軸心を、ＩＣチップ１３２の活性面に直交させた状態を示しているが、平行にした状態であってもよい。平行にした状態であってもアンテナコイル１３１の軸心が方向Ａと平行になるようにＩＣタグインレット１３を本体１２に設置する。
【００４１】
また、本体１２を埋設孔に埋め込む際に、底栓１７が圧縮されて変形されることにより、その上にあるＩＣタグインレット１３が影響を受けて変形することを防止するために、
収納空間１５内に変形防止板１４を配置し、その上にＩＣタグインレット１３を配置させることが好ましい。変形防止板１４の上にＩＣタグインレット１３を配置することにより、特にアンテナコイル１３１が変形したり、ＩＣチップ１３２とアンテナコイル１３１の相対位置が変化して通信機能が損なわれるのを防止することができる。
【００４２】
変形防止板１４は、接着剤等で予めＩＣタグインレット１３に貼り付けて一体化させてもよい。また、図４に示すように、ＩＣタグインレット１３の両面に変形防止板１４ａ、１４ｂを貼り付けてもよい。それにより、アンテナコイル１３１の変形等を防止する効果がより高まる。
【００４３】
変形防止板１４は少なくともＩＣタグインレット１３の外形よりも大きく、ＩＣタグインレット１３を充分に載せることができ、かつ本体１２の内径（ｒ）の円よりも小さい大きさとする。また、その厚さは０．５ｍｍ程度とする。変形防止板１４の材料には、例えば強度的に変形抵抗の大きいベークライト（フェノール樹脂）やＰＥＴの薄板を円板状に打ち抜いたものを用いる。
【００４４】
図１（Ａ）、（Ｂ）に示すようにＩＣタグインレット１３の収納空間１５の上側は閉じている。図１（Ａ）に示すように、ＩＣタグインレット１３の収納空間１５の上側を本体部１２と同じ材料で形成してもよいし、図１（Ｂ）に示すように収納空間１５の上側の閉じた部位の上面に表示板装入用凹部１８を形成してもよい。表示板装入用凹部１８を形成した場合には、そこに位置情報表示用の表示板１１を配設する。
【００４５】
表示板１１には図７に示すように基準点の基準点番号や点の名称、等級や被埋設体の情報などを表示することができる。また、表示板１１は、磁力線を透過し、かつ耐候性のある非金属性の剛性材料で形成されることが必要である。本実施例では表示板１１に表示機能の加工性に富み、耐候性に優れ強度の大きなアクリル系樹脂を使用するが、上記の要件を満たせば、どのような材料を使用してもよい。
【実施例１】
【００４６】
実施例１の埋め込み用標識体１０は、図５に示す標石２０や金属鋲２２と比較して、小さい大きさで構成されているものである。具体的な数値例は後述する。本実施例では、埋め込み用標識体１０を標石２０に埋設する場合と、金属鋲２２の近傍に埋設させる場合について説明する。
【００４７】
〔使用例１：埋め込み用標識体を標石に埋設させる場合〕
図５（Ａ）は、本実施例の埋め込み用標識体１０を埋め込む標石を示す説明図である。標石は、図５（Ａ）に示すように測量に使用される三角点や水準点に埋設される石であり、花崗岩の角柱が用いられることが多い。標石２０に埋め込み用標識体１０を埋め込む際には、その側面又は上面に埋設孔２１を配設する。このとき、図５（Ａ）に示すように、標石の文字や十字の印の表示が影響を受けないように埋設孔２１を配設する。
【００４８】
埋設孔２１は円筒型で、前述のように埋め込み用標識体１０の大径部の外径Ｒよりも小さな口径を持ち、かつ下部に外径Ｒに等しいかそれよりやや大きい大径部２１１を持つようにする。そして、埋め込み用標識体１０の本体１２を矢印Ａ（図１参照）の方向に動かして、標石２０の埋設孔２１に埋め込む。埋設孔２１の径は、埋め込み用標識体１０の本体１２の径よりも小さいため、埋め込む際には抜け止め大径部１２１を圧縮させて押し込むように埋め込む。そうすることによって、埋め込み用標識体１０を埋設孔２１の大径部２１１に密着させ、密封することができる。
【００４９】
図６は、コンクリート等の埋設孔２１に埋設した埋め込み用標識体１０の断面の模式図である。ここでは、図１（Ｂ）に示す埋め込み用標識体１０を例として説明する。図１（Ａ）に示す埋め込み用標識体１０の場合も同様に説明することができる。図６では、埋め込み用標識体１０の形状が保たれた形で模式的に描いているが、実際には埋め込み用標識体１０の抜け止め大径部１２１を埋設孔２１に嵌め込む際に、抜け止め大径部１２１と底栓１７を圧縮させて埋設されるため、抜け止め大径部１２１が埋設孔２１の大径部２１１の中に入り込み、容易に抜けることのない強固な嵌合が達成される。
【００５０】
前述のように、図１（Ｂ）の埋め込み用標識体１０は、本体１２の上面に表示板装入用凹部１８を形成し、そこに表示板１１を配設している。標石２０に刻されている三角点や等級の表示が読みづらい場合には、耐候性があり、かつ剛性材料で形成される表示板１１を用いて、そこに三角点や等級の表示を入れることが好ましい。また、標石２０に刻されている三角点や等級の表示が明確に読むことができる場合においても、標石２０が長期間、屋外で使用されることによって、雨水等の劣化により表示が読みづらくなり得るため、表示板１１に標石２０と同様の記載（例えば三角点や等級）を表示させることが好ましい。
【００５１】
図５（Ａ）に示すように、本実施例では埋め込み用標識体１０が標石２０と比較して、小さいものを使用する。小さな埋め込み用標識体１０を使用することで、標石２０に埋設孔２１を配設しやすく、また、埋め込み用標識体１０を埋設しやすくなる。
【００５２】
例えば、内径（ｒ）の直径が１２ｍｍ、外径（ｒ＋Δｒ）の直径が１５ｍｍ、抜け止め大径部の外径（Ｒ）の直径が１７ｍｍ、高さ（ｈ）が９ｍｍの埋め込み用標識体１０を使用する。上記の本体１２の詳細として、抜け止め大径部の高さ（ｈ１）を２ｍｍ、抜け止め大径部から収納空間１５までの長さ（ｈ２）を３ｍｍ、収納空間１５の高さを２ｍｍ、表示板装入用凹部１８の高さを２ｍｍとする。このときに収納されるＩＣタグインレット１３の大きさは、外径の直径が８．５ｍｍであり、外部の標準的リーダ・ライタ装置と通信可能な距離は３５〜５０ｍｍである。
【００５３】
上記埋め込み用標識体１０の場合には、埋設孔２１の口径の大きさは大径部の外径Ｒ（１７ｍｍ）よりも小さな径で、例えば直径１６ｍｍとする。また、埋め込み用標識体１０を上記の大きさにすると、収納空間１５が抜け止め大径部１２より上方に一定の距離（ｈ２）だけ離間して設けられているため、本体１２を抜け止め大径部１２１を圧縮して埋設孔２１に埋設する際に、収納空間１５がその圧縮の影響をほとんど受けないようにすることができる。
【００５４】
埋め込み用標識体１０の大きさは、上記の大きさに限定されず、標石２０に埋設することができれば、より大きな径を持つ本体１２を使用してもよい。その場合には収納空間１５に収納するＩＣタグインレット１３には、外部のリーダ・ライタ装置との通信距離が長いより大きな径のＩＣタグインレット１３が使用できる。
【００５５】
〔使用例２：埋め込み用標識体を金属鋲の近傍に埋め込む場合〕
図５（Ｂ）の断面図に示すように、基準点が金属鋲２２の場合には、金属鋲２２の近傍のコンクリート等の地表に埋設孔２１を配設する。そして、その埋設孔２１に埋め込み用標識体１０を埋設する。前述のように金属鋲２２に直接、埋め込み用標識体１０を埋設すると、リーダ・ライタ装置をかざしても、ＩＣタグインレット１３からの放射電磁波が金属からの反射波によって打ち消され、データを精度よく読み取ることができなくなるからである。
【００５６】
本実施例では、リーダ・ライタ装置をかざした際に金属鋲２２の影響を受けない程度に、埋め込み用標識体１０を金属鋲２２から離間して埋設する。また、同様な理由で金属鋲２２以外の金属性の物体（例えばグレーチングや金属性の看板等）が近くにある場合には、その物体からも離間して埋設する。また、埋め込み用標識体１０を埋設する場所は、金属鋲２２近傍の地表のコンクリートに限定されず、例えば金属鋲２２の近くの電柱やその他の非金属性構造物等に埋設させてもよい。
【００５７】
埋め込み用標識体１０を標石に埋設させる場合と同様に、埋設孔２１は円筒型で、埋め込み用標識体１０の大径部の外径Ｒよりも小さな口径を持つように金属鋲２２の近傍に配設する。そして、埋め込み用標識体１０の本体１２を矢印Ａ（図１参照）の方向に動かしてその抜け止め大径部１２１を圧縮した上で、埋設孔２１に押し込むように埋設する。埋設孔２１に埋設した埋め込み用標識体１０（図６）の説明と埋め込み用標識体１０の具体的な大きさは、埋め込み用標識体１０を標石に埋設させる場合と同様であるため、説明を省略する。
【００５８】
図７は金属鋲２２の平面図であり、金属鋲２２の表示の一例を示す。図７に示すように、金属鋲２２には、基準点の固有の番号や点の名称２２１、等級などが表示されている。標石２０と同様に、既存の金属鋲２２においても長期間、屋外で使用されることによって、雨水等による錆び等により表示が読みづらくなり得る。そのため、埋め込み用標識体１０に表示板１１を配設して、金属鋲２２と同様の記載を表示させることが好ましい。しかし本実施例の埋め込み用標識体１０は、非常に小さいため、全ての情報を表示すると文字が小さくなり、読みづらい場合がある。その場合には、基準点の固有の番号や等級などの重要な要素のみを表示してもよいし、基準点であることがわかる記載（点の名称２２１）のみを表示してもよい。
【実施例２】
【００５９】
実施例２の埋め込み用標識体１０は、図５に示す標石２０や金属鋲２２の代わりに設置する埋め込み用標識体１０であり、例えば既存の金属鋲２２と同じ大きさで構成されている。そのため、実施例２の埋め込み用標識体１０は、実施例１で説明した標石２０や金属鋲２２付近に埋設する埋め込み用標識体１０と比較して、大きなものとなり、またＩＣタグインレットの通信距離も長くなる。具体的な数値例は後述する。本実施例では、埋め込み用標識体１０を既存の金属鋲２２の代わりに埋設する場合について説明する。
【００６０】
永久標識として規定されている既存の金属鋲は、図５（Ｂ）の金属鋲２２のように地表に出ている部分が円形（平面図）であり、地中に埋設されている部分が略円柱形である。地表に出ている部分は、図７に示すように、基準点の情報が表示されており、その大きさは平面から見て直径が８ｃｍの円である。
【００６１】
既存の金属鋲の代わりに本実施例の埋め込み用標識体１０を埋設する場合には、表示板１１の径である内径（ｒ）又は外径（ｒ＋Δｒ）を８ｃｍとして埋め込み用標識体１０を構成する。埋め込み用標識体１０の内径又は外径の大きさを８ｃｍとする場合には、それに伴って、埋め込み用標識体１０の様々な機能を損なわないように、例えば実施例１で示した形状を保つように、抜け止め大径部の外径（Ｒ）や高さ（ｈ）等の長さを決定する。例えば外径（ｒ＋Δｒ）の大きさを８ｃｍとした場合、抜け止め大径部の外径（Ｒ）は８．５ｃｍ程、高さ（ｈ）は２．０ｃｍ程となる。特に、抜け止め大径部から収納空間１５までの長さ（ｈ２）は、本体１２を抜け止め大径部１２１を圧縮して地表に埋設する際に、収納空間１５がその圧縮の影響を受けないような長さとする必要がある。
【００６２】
また、埋め込み用標識体１０の内径又は外径の大きさを８ｃｍとする場合には、収納されるＩＣタグインレット１３も直径６.５〜７.０ｃｍ程度のものを採用できる。その場合の通信距離は、１０.０〜１２.０ｃｍ程度となり、既存のＩＣタグインレット入り金属鋲と比較して放射電磁波の通信距離が著しく長く、使用しやすくなる。また、本実施例の埋め込み用標識体１０は非金属性であるため、既存のＩＣタグインレット入り金属鋲と比較して、リーダ・ライタ装置で精度よく情報を読み書きすることができる。
【００６３】
上記の大きさの埋め込み用標識体１０を地表のコンクリート等に埋設させる場合には、前述のように、その埋設孔２１の口径は、埋め込み用標識体１０の大径部の外径Ｒ（例えば直径８．５ｃｍ）よりも小さな径（例えば８．０〜８．４ｃｍ）を持つようにする。そうすることにより、大径部１２１を埋設孔に嵌め込む際に、抜け止め大径部１２１の圧縮と底栓１７の圧縮の影響を受けて、その圧縮の反発力により、本体１２を埋設孔２１の大径部２１１に密に接するように埋設することができる。
【００６４】
さらに、既存の金属鋲の代わりに本実施例の埋め込み用標識体１０を埋設する場合には、埋め込み用標識体１０の本体１２や本体１２の上面に配置される表示板１１は、屋外で長期間使用されたときに、耐候性を有する材料で形成されることが必要であることに加え、足で踏まれた場合の耐摩耗性を有する材料で形成されることが望ましい。例えば、表示板１１を形成する材料にはアクリル系樹脂を用いるのではなく、ポリブチレンナフタレートのような耐摩耗性を有する材料を用いてもよい。
【００６５】
以上、説明してきた埋め込み用標識体によれば、埋め込み用標識体本体が埋設孔の口径より大径の抜け止め大径部を備え、かつ、底栓が弾力性のある部材またはゴム材で形成されているため、埋設孔に押し込むだけで密に接し、接着剤なしに固定することができる。それにより、雨水等が埋設孔と測量用鋲との間にしみこむのを防止できる。また、底栓が底栓の装入空間の径よりも径を大きく形成されているため、底栓を圧縮して装入空間に押し込むだけで密に接し、接着剤なしに固定することができる。それにより、雨水等がＩＣタグインレットの収納空間にしみこむのを防止でき、ＩＣタグインレットを複雑な加工なく容易に密封できる。
【００６６】
また、埋め込み用標識体本体が耐候性のある材料で形成されているため、屋外で長期間にわたって使用された場合においても、熱や雨水、衝撃などにより変形、変色、劣化等の変質を起こしにくく、さらに可撓性のある材料で形成されているため、埋設孔より大径の抜け止め大径部を圧縮させて埋設孔に埋設することができる。
【００６７】
また、埋め込み用標識体本体と表示板が磁力線を透過し、非金属性の材料で形成されているため、リーダ・ライタ装置がＩＣタグインレットを精度よく読み取ることができる。
さらに、埋め込み用標識体本体に金属鋲に装入されている従来の場合と比較して、比較的大きなコイルを持ったＩＣタグインレットを挿入することもできるので、通信距離を長く取ることができ、かつリーダ・ライタで精度よく読み書きすることができる。
【００６８】
また、埋め込み用標識体の底栓の材料は、埋め込み用標識体本体の材料よりも熱膨張係数が小さいため、夏季の温度上昇により本体が熱膨張すると、本体が被埋設体に圧縮されて底栓に密着し、冬季の温度低下により本体が収縮すると、底栓が本体に密着するため、底栓が四季を通して本体に密に接し、接着剤なしに固定することができる。それにより、ＩＣタグインレットの収納空間に雨水等がしみこむのを防止できる。
【００６９】
なお、上述した実施例の埋め込み用標識体は一例であり、その構成は、発明の趣旨を逸脱しない範囲で、適宜変更可能である。
【符号の説明】
【００７０】
１０…埋め込み用標識体、１１…表示板、１２…埋め込み用標識体本体、１３…ＩＣタグインレット、１４，１４ａ，１４ｂ…変形防止板、１５…ＩＣタグインレットの収納空間、１６…底栓の装入空間、１７…底栓、１８…表示板装入用凹部、２０…標石、２１…埋設孔、２２…金属鋲、１２１…抜け止め大径部、１３１…アンテナコイル、１３２…ＩＣチップ、１３３…アンテナコイルの端子部、２１１…埋設孔の大径部、２１３…被埋設体、２２１…点の名称。
【図１】
2015143892.tif 000003
【図２】
2015143892.tif 000004
【図３】
2015143892.tif 000005
【図４】
2015143892.tif 000006
【図５】
2015143892.tif 000007
【図６】
2015143892.tif 000008
【図７】
2015143892.tif 000009